(57)【要約】【課題】裏移りの影響を最小限に抑え、最適な読み取り性能を得ることができる画像読取装置を提供する。【解決手段】原稿厚検知装置に検知された原稿厚に基づいて、原稿照明ランプの照射光量と、読み取られた原稿の画像データに対するゲイン量とが決定され、この決定された照射光量に基づいて原稿照明ランプの照射光量が変更されて、原稿が読み取られ、読み取られた原稿の画像データが該決定されたゲイン量に応じて増幅される。より具体的には、原稿厚の薄い原稿は原稿ランプ光量を下げてゲインアップする設定にすることで、原稿の読み込み面とは反対の面からの透過光の影響を少くし、また原稿厚が厚い原稿では透過光の影響が少ないために、片面読み込み時と同じランプ光量とゲイン量となるようにする。【選択図】      図５
2004193744.tif 000002
【特許請求の範囲】
【請求項１】
原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置において、
原稿の厚みを検知する原稿厚検知手段と、
前記原稿厚検知手段により検出された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定手段と、
前記決定手段により決定された照射光量に基づいて、前記第１照射手段及び前記第２照射手段の照射光量を変更する照射光量変更手段と、
前記第１読取手段及び前記第２読取手段により読み取られた原稿の画像データを、前記決定手段により決定されたゲイン量に応じて増幅するデータ増幅手段とを備えることを特徴とする画像読取装置。
【発明の詳細な説明】
【０００１】
【発明の属する技術分野】
本発明は、両面原稿の表面と裏面を同時に読み取る画像読取装置に関する。
【０００２】
【従来の技術】
従来より、複数枚数の原稿を自動的に順次読み取るオートドキュメントフィーダ（ＡＤＦ）内部に読み取り系や原稿反転機構を備える画像読取装置が知られている。
【０００３】
この画像読取装置が両面原稿を読み取る際には、まず原稿表面を画像読取装置側で読み取り、この読み取り終了後にＡＤＦ内部の原稿反転機構により原稿を反転し、原稿裏面を画像読取装置側で読み取るという動作を行い、両面原稿の画像を読み取っていた。
【０００４】
しかし、この装置構成では、原稿を反転する時間は画像読取装置としてのデッドタイムとなるため、読み取りパフォーマンスが低下し、また、原稿を反転させるために原稿にダメージを与えることが少なくなかった。
【０００５】
この問題に鑑み、近年ＡＤＦ内部に読み取り系を装備し、１回の原稿搬送動作によって表面画像と裏面画像を読み取る１パス両面画像読取装置が提案されている。
【０００６】
【発明が解決しようとする課題】
しかしながら、従来の両面原稿の表裏を同時に読み取ることができる画像読取装置では、原稿の表面と裏面の両側から原稿を光源で照らすので、厚さが薄い原稿では読み取り面とは反対の面からの透過光の影響で原稿裏面の画像が写るという、いわゆる裏写りが発生するという問題があった。
【０００７】
本発明は、上記の問題点を解消するためになされたもので、裏移りの影響を最小限に抑え、最適な読み取り性能を得ることができる画像読取装置を提供することを目的とする。
【０００８】
【課題を解決するための手段】
上記目的を達成するために、請求項１に記載の画像読取装置は、原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置において、原稿の厚みを検知する原稿厚検知手段と、前記原稿厚検知手段により検出された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定手段と、前記決定手段により決定された照射光量に基づいて、前記第１照射手段及び前記第２照射手段の照射光量を変更する照射光量変更手段と、前記第１読取手段及び前記第２読取手段により読み取られた原稿の画像データを、前記決定手段により決定されたゲイン量に応じて増幅するデータ増幅手段とを備えることを特徴とする。
【０００９】
【発明の実施の形態】
以下、本発明の実施の形態について図面を参照して説明する。
【００１０】
図１は、本発明の実施の形態に係る画像読取装置の概略構成を示す図である。
【００１１】
本発明の実施の形態に係る画像読取装置は、原稿給送装置１と原稿読取装置１９とによって構成されている。
【００１２】
原稿給送装置１は、原稿３を載置する原稿載置部２と、給紙ローラ４と、複数枚の原稿３を分離する分離パッド５と、原稿３を排紙する原稿排紙ローラ対７と、原稿３を第１読み取り部としての露光部１３に導く大ローラ８、第１従動ローラ９及び第２従動ローラ１０と、原稿３を原稿排紙ローラ対７に導く第３従動ローラ１１と、原稿ガイド板１７と、第２読み取り部としての密着型イメージセンサ部２０（第２読取手段）とを備えている。密着型センサ部２０は図示はしていないが光源であるＬＥＤ、レンズ及びコンタクトイメージセンサ（ラインセンサ）から構成されている。また、原稿給送装置１には、密着型センサ部２０に対向するように、図示しない基準白色板が設けられており、さらに、密着型センサ部２０によって原稿３の反射光を読み取ることが可能な位置に図示しない原稿照明ランプ（第２照射手段）を備えている。
【００１３】
原稿読み取り装置１９は、流し読み原稿ガラス１２と、露光部１３（第１読取手段）と、露光部１３によって読み取られた画像信号をミラーユニット１４及びレンズ１５を介して受信するＣＣＤセンサ部１６と、ジャンプ台１８と、基準白色板２２とを備えている。ＣＣＤセンサ部１６はラインセンサを備えている。さらに原稿読み取り装置１９は、ＣＣＤセンサ部１６によって原稿３の反射光を読み取ることが可能な位置に図示しない原稿照明ランプ（第１照射手段）を備えている。
【００１４】
本発明の実施の形態に係る画像読取装置は、露光部１３と原稿とを相対的に移動させながら原稿３の読み取りを行う一方で、密着型イメージセンサ部２０と原稿とを相対的に移動させながら原稿３を読み取る。
【００１５】
原稿３は原稿載置部２にセットされる。原稿給紙ローラ４は分離パッド５と対になっていて、原稿３を１枚ずつ原稿給送装置１内部に給送する。給送された原稿３は紙厚検知ローラ対６で更に原稿給送装置１内の第１移動ローラ９に送られ、大ローラ８と第１従動ローラ９による搬送に渡され、大ローラ８に沿う形で第２従動ローラ１０による搬送が行われる。後述するコピーモードで両面同時読み取りモードが設定されている場合には、紙厚検知ローラ対６の近傍に設置された紙厚検知装置（原稿厚検知手段）が原稿３の紙厚を検知する。
【００１６】
大ローラ８と第２従動ローラ１０で搬送される原稿３は、流し読み原稿ガラス１２と原稿ガイド板１７との間を通り、ジャンプ台１８を経て再び大ローラ８と第３従動ローラ１１により搬送される。流し読み原稿ガラス１２と原稿ガイド板１７との間では原稿ガイド板１７により原稿３は流し読み原稿ガラス１２に接触する形で搬送される。
【００１７】
原稿３が実際に画像データとして読み込まれる前に、露光部１３及び密着型イメージセンサ部２０でシェーディング補正が行われる。露光部１３は基準白色板２２を読み取り、密着型イメージセンサ部２０は不図示の別の基準白色板を読み取ることによってそれぞれ適正な白レベルを得る。
【００１８】
原稿３は、流し読み原稿ガラス１２上を通過する際に、露光部１３により流し読み原稿ガラス１２に接している面が露光される。露光部１３は露光することにより原稿３から反射してくる原稿の画像データをミラーユニット１４に伝達する。伝達された原稿３の画像データはレンズ１５を通過し、集光されてＣＣＤセンサ部１６にて電気信号として変換される。以上の過程で原稿３の第１面（おもて面）が読み取られる。
【００１９】
次に、大ローラ８と第３従動ローラ１１により搬送された原稿３は原稿排紙ローラ対７方向へ搬送される過程で、密着型イメージセンサ部２０によって原稿３の第２面（裏面）が読み取られ、その後原稿給送装置１の装置外に排出される。
【００２０】
図２は、図１における露光部１３及び密着型イメージセンサ部２０の画像制御系の主な機能を示すブロック図である。
【００２１】
同図に示すように、図１における露光部１３及び密着型イメージセンサ部２０の画像制御系は、主として、アナログ画像信号をデジタル画像信号に変換するＡ／Ｄ変換部１０１と、様々な画像処理を行う画像処理部１０２と、画像データを記憶する画像メモリ部１０３と、画像制御系全体の制御を司るＣＰＵ１０４と、読み取りモード設定及び読み取り動作開始指示を行う操作部１１０と、画像の出力を行うプリンタ部１１５とを備えている。操作部１１０は表示部１１１を備えている。Ａ／Ｄ変換部１０１（データ増幅手段）、画像メモリ部１０３、ＣＰＵ１０４（決定手段、照射光量変更手段）、操作部１１０及びプリンタ部１１５は、それぞれ画像処理部１０２に接続されている。ＣＰＵ１０４は、図示しないＲＡＭと接続されている又は図示しないＲＡＭを備えている。
【００２２】
ＣＰＵ１０４により生成されるＰＷＭ信号が露光部１３及び密着型イメージセンサ部２０に入力され、ＣＣＤセンサ部１６は、この入力されたＰＷＭ信号の周期に応じた光量で原稿に照射された反射光を画像処理部１０２に内蔵されているタイミング生成機能によって生成されたタイミング信号１０５に従ってサンプリングしていく。
【００２３】
サンプリングされたデータは、不図示のＣＣＤドライバによりアナログビデオ画像信号１０７に変換してＡ／Ｄ変換部１０１に出力される。
【００２４】
Ａ／Ｄ変換部１０１は画像処理部１０２からのタイミング信号１０６に従って、ＣＣＤセンサ部１６から出力されたアナログビデオ画像信号１０７をディジタル画像信号１０８に変換する。
【００２５】
ディジタル画像信号１０８は画像処理部１０２に入力され、シェーディング補正等の処理が行われる。画像処理部１０２はメモリＩ／Ｆ１１４を介して画像メモリ部１０３に対して画像データを書き込み、さらに画像メモリ部１０３から読み出された画像データをプリンタ部１１５に出力する。
【００２６】
ＣＰＵ１０４は画像制御系全体の制御を司る。ＣＰＵ１０４はＣＰＵバス１０９を介して画像処理部１０２の設定や制御、更に画像データの読み書き等を行う。また、操作部１１０及び表示部１１１は読み取りモード設定及び読み取り動作開始指示を行う。
【００２７】
図３は、Ａ／Ｄ変換部１０１の概略構成を示す図である。
【００２８】
Ａ／Ｄ変換部１０１は、入力されたアナログビデオ信号に対してゲイン補正やオフセット補正を施すオフセット処理部３０１と、該オフセット処理部３０１でゲイン補正やオフセット補正が施されたアナログ信号をディジタル信号に変換するＡ／Ｄ変換部３０２とを備えている。
【００２９】
ＣＣＤセンサ部１６からのアナログビデオ信号は、Ｒ（Ｒｅｄ）、Ｇ（Ｇｒｅｅｎ）、Ｂ（Ｂｌｕｅ）の各色のＯＤＤとＥＶＥＮの２系統の信号となってアナログビデオ信号処理部３０１に入力される。オフセット処理部３０１は、ＣＣＤ上の各画素における光電変換効率の違いを補正し、増幅率を一定にするために、この入力されたアナログビデオ信号に対して、予め決められたゲイン量でゲイン補正を施した後、入射光のない場合の出力電圧を一定に揃えるために、予め決められたオフセット量でオフセット補正が施す。さらにオフセット処理部３０１は、ＯＤＤとＥＶＥＮの２系統のＲＧＢ各ビデオ信号は１系統に合成し、この合成されたアナログの各ビデオ信号をＡ／Ｄ変換部３０２に出力する。Ａ／Ｄ変換部３０２は電圧値に応じてオフセット処理部３０１から入力されたアナログの各ビデオ信号を８ビットのディジタル信号に変換し画像処理部１０２へ送信する。
【００３０】
上記構成を有する原稿読取装置を装備する複写機において、原稿をコピーする場合の処理を以下に説明する。
【００３１】
図４，５は、原稿読取装置を装備する複写機において原稿をコピーする場合の処理を示すフローチャートである。
【００３２】
まず、コピーをする前に、操作部１１０によりコピーの部数やコピーモード等が設定され（ステップＳ４０１）、ＣＰＵ１０４は、そのコピーモードの設定が「両両」又は「両片」であるか否かを判別する（ステップＳ４０２）。ここで、コピーモードの設定が「両両」であるとは、原稿の両面を１枚の用紙の両面にコピーすることを意味し、コピーモードの設定が「両片」であるとは、原稿の両面、即ち表面と裏面とをそれぞれ別の用紙の片面にコピーすることを意味する。
【００３３】
上記ステップＳ４０２の判別の結果、コピーモードの設定が「両両」又は「両片」である場合には、両面同時読み取りを実行するためには原稿の厚さを予め設定しておく必要があるため、表示部１１１が原稿厚入力画面へと遷移する（ステップＳ４０３）。
【００３４】
図６は、原稿の厚さの入力を行う場合の表示部１１１の表示例、具体的には原稿厚選択画面の表示例を示す図である。
【００３５】
原稿の厚さを入力する手段としては、紙厚検知ローラ対６の近傍に設置された紙厚検知装置により自動的に検出する場合と、マニュアルで原稿の厚さを予め入力する場合とがある。前者の紙厚検知装置により自動的に原稿の厚さを検知する場合には、ユーザは同図に示すオートキー６０１を選択し、後者のマニュアルで原稿の厚さを予め入力する場合には、薄紙キー６０２、普通紙キー６０３、厚紙キー６０４及び最厚紙キー６０５のなから適切な原稿の種類を選択する。特にユーザが原稿の厚さを上記２つのいずれかの手段により設定をしない場合は、デフォルトでオートキー６０１が選択される。
【００３６】
コピーする原稿が原稿載置部２にセットされ、操作部１１０でスタートキーが押下される（ステップＳ４０４）と、まず、上下それぞれに設けられた原稿読み取り用ラインセンサ及び原稿照明ランプが通電されて、シェーディング補正が実行される（ステップＳ４０５）。その後、原稿載置部２から１枚の原稿が原稿給送装置１の内部に搬送される（ステップＳ４０６）。
【００３７】
ＣＰＵ１０４は、ステップＳ４０１の設定されたコピーモードに基づいて原稿の読み取り方法が両面原稿読み取りであるか否かを判別し（ステップＳ４０７）、原稿の読み取り方法が両面原稿読み取りでない場合、即ち、片面原稿読み取りの場合には、ＣＰＵ１０４は、ランプ光量を所定値「Ｌ」、ゲイン量を所定値「Ｇ」にそれぞれ設定する（ステップＳ４０８）。ランプ光量の所定値「Ｌ」は後述する図８のデータテーブル内の「最厚紙」のランプ光量「１７８」であり、ゲイン量の所定値「Ｇ」は後述する図８のデータテーブル内の「最厚紙」の「ゲインＲ：２１、ゲインＧ：２０、ゲインＢ：２２」である。オフセット値は、片面／両面及び原稿の種類に寄らず、従来のような予め決められた設定値が設定されるため、詳細についてここでは説明を行わない。
【００３８】
上記ステップＳ４０７の判別の結果、原稿の読み取り方法が両面原稿読み取りである場合には、ＣＰＵ１０４は、図６に示す原稿厚選択画面においてオートキー６０１が選択されているか否かを判別する（ステップＳ４０９）。
【００３９】
ステップＳ４０９の判別の結果、原稿厚選択画面においてオートキー６０１が選択されている場合には、紙厚検知ローラ対６を通過する際に紙厚検知ローラに取り付けられている紙厚検知装置で原稿の厚さの検出が行われる（ステップＳ４１０）。この原稿厚検知は、原稿の先端の読み込みが開始される直前まで行われ、それまでの原稿厚検知の結果から原稿厚が計算され、求められる。
【００４０】
ここで紙厚検知装置の詳細について説明する。
【００４１】
図７は、紙厚検知装置を含む紙厚検知機構の概略構成を示す図である。紙厚検知ローラ６は、不図示の紙厚検知ローラクラッチを介して不図示の給紙モータの駆動により回転する。原稿３が紙厚検知ローラを通過していないとき及び通過中に、ＣＰＵ１０４の制御により、ＬＥＤ７０１の光が上側の紙厚検知ローラ６に対して照射される。ＬＥＤ７０１の光が上側の紙厚検知ローラで反射し、その反射光をフォトダイオードアレイ７０２が検知され、その反射する角度の違いで、原稿の厚みによる紙厚検知ローラの上下の移動量が測定される。フォトダイオードアレイ７０２が検知した信号は、ＣＰＵ１０４に対して紙厚検知信号７０４として送られ、ＣＰＵ１０４はその信号から紙厚検知ローラの位置を演算処理（原稿を挟んだときのローラ位置−原稿無しの時のローラ位置＝紙厚）することで紙厚を計算する。
【００４２】
ところで、ＣＰＵ１０４が備えるＲＡＭには、原稿厚に応じて予め計算されたランプ光量とゲイン量のデータテーブルが保持されており、紙厚検知装置により紙厚が決定するか、又は紙厚決定装置でマニュアルが選択されていると、ＣＰＵ１０４は当該データテーブルから紙厚に応じた最適なランプ光量とゲイン量を選択し、そのランプ光量に応じてＰＷＭ信号の周期が変更され、またオフセット処理部３０１にも選択されたゲイン量が設定される。
【００４３】
図８は、ＣＰＵ１０４が備えるＲＡＭに格納されているデータテーブルの一例を示す図である。
【００４４】
データテーブルは、原稿厚、即ち紙種に応じて４段階に分かれている。
【００４５】
例えば、紙厚検知装置の検知の結果、原稿が薄紙と検出された場合には、ランプ光量を低い値（１３０）に設定して、裏写りを最小限に抑え、そのランプ光量の不足分はゲイン量を上げるような設定が選択される。
【００４６】
逆に、紙厚検知装置の検知の結果、原稿が最厚紙であると検出された場合には、原稿の厚さが厚く、原稿裏面からの影響が少ないために、片面読み込みの時と同じランプ光量とゲイン量が設定される。
【００４７】
図５に戻り、上記ステップＳ４１０の原稿の厚さの検出結果に基づいて、ＣＰＵ１０４は、ランプ光量を所定値「Ｌ１」、ゲイン量を所定値「Ｇ１」にそれぞれ設定する（ステップＳ４１１）。ランプ光量の所定値「Ｌ１」は後述するランプ光量の所定値「Ｌ２」〜「Ｌ５」のいずれかの値をとり、ゲイン量の所定値「Ｇ１」は後述するゲイン量の所定値「Ｇ２」〜「Ｇ５」のいずれかの値をとる。これは、原稿の厚さの検出結果に基づいてＣＰＵ１０４がデータテーブルの具体的な値を選択するからである。
【００４８】
ステップＳ４０９の判別の結果、原稿厚選択画面においてオートキー６０１が選択されていない場合には、ＣＰＵ１０４は、原稿厚選択画面において最厚紙キー６０５が選択されているか否かを判別する（ステップＳ４１２）。
【００４９】
ステップＳ４１２の判別の結果、原稿厚選択画面において最厚紙キー６０５が選択されている場合には、ＣＰＵ１０４は、ランプ光量を所定値「Ｌ２」、ゲイン量を所定値「Ｇ２」にそれぞれ設定する（ステップＳ４１３）。図８のデータテーブル内の「最厚紙」のランプ光量「１７８」であり、ゲイン量の所定値「Ｇ２」は図８のデータテーブル内の「最厚紙」の「ゲインＲ：２１、ゲインＧ：２０、ゲインＢ：２２」である。
【００５０】
一方、ステップＳ４１２の判別の結果、原稿厚選択画面において最厚紙キー６０５が選択されていない場合には、ＣＰＵ１０４は、原稿厚選択画面において厚紙キー６０４が選択されているか否かを判別する（ステップＳ４１４）。
【００５１】
ステップＳ４１４の判別の結果、原稿厚選択画面において厚紙キー６０４が選択されている場合には、ＣＰＵ１０４は、ランプ光量を所定値「Ｌ３」、ゲイン量を所定値「Ｇ３」にそれぞれ設定する（ステップＳ４１５）。図８のデータテーブル内の「厚紙」のランプ光量「１５９」であり、ゲイン量の所定値「Ｇ３」は図８のデータテーブル内の「厚紙」の「ゲインＲ：３０、ゲインＧ：３０、ゲインＢ：３２」である。
【００５２】
一方、ステップＳ４１４の判別の結果、原稿厚選択画面において厚紙キー６０４が選択されていない場合には、ＣＰＵ１０４は、原稿厚選択画面において普通紙キー６０３が選択されているか否かを判別する（ステップＳ４１６）。
【００５３】
ステップＳ４１６の判別の結果、原稿厚選択画面において普通紙キー６０３が選択されている場合には、ＣＰＵ１０４は、ランプ光量を所定値「Ｌ４」、ゲイン量を所定値「Ｇ４」にそれぞれ設定する（ステップＳ４１７）。図８のデータテーブル内の「普通紙」のランプ光量「１４０」であり、ゲイン量の所定値「Ｇ４」は図８のデータテーブル内の「普通紙」の「ゲインＲ：４５、ゲインＧ：４２、ゲインＢ：４２」である。
【００５４】
一方、ステップＳ４１６の判別の結果、原稿厚選択画面において普通紙キー６０３が選択されていない場合には、ＣＰＵ１０４は、ランプ光量を所定値「Ｌ５」、ゲイン量を所定値「Ｇ５」にそれぞれ設定する（ステップＳ４１８）。図８のデータテーブル内の「薄紙」のランプ光量「１３０」であり、ゲイン量の所定値「Ｇ５」は図８のデータテーブル内の「薄紙」の「ゲインＲ：５５、ゲインＧ：５６、ゲインＢ：５５」である。
【００５５】
次いで、ステップＳ４０８、ステップＳ４１１、ステップＳ４１３、ステップＳ４１５、ステップＳ４１７及びステップＳ４１８で設定されたランプ光量、ゲイン量に基づいて原稿３の画像読み取りを実行する（ステップＳ４１９）。より具体的には、原稿給送装置１が原稿３を露光部１３及び密着型センサ部２０まで搬送し、上下の原稿照明ランプが上記各ステップで設定されたランプ光量で原稿を照射し、露光部１３及び密着型センサ部２０がその照射された原稿の画像データを取り込み、Ａ／Ｄ変換部１０１に含まれるオフセット処理部３０１が該取り込まれた画像データを上記各ステップで設定されたゲイン量で増幅する。
【００５６】
この増幅された画像データは、は必要に応じて各種画像処理が施され、その後画像メモリ部１０３に蓄積され（ステップＳ４２０）、プリント部１１５により紙に印字される（ステップＳ４２１）。読み取られた原稿が原稿給紙装置１の装置外へ排紙されると次の原稿が給紙され、この動作が原稿載置部２上の原稿が全てなくなるまで実行される。
【００５７】
上述したように、本実施の形態によれば、原稿厚検知装置に検知された原稿厚に基づいて、原稿照明ランプの照射光量と、読み取られた原稿の画像データに対するゲイン量とが決定され、この決定された照射光量に基づいて原稿照明ランプの照射光量が変更されて、原稿が読み取られ、読み取られた原稿の画像データが該決定されたゲイン量に応じて増幅されるので、いわゆる裏移りの影響を最小限に抑え、最適な読み取り性能を得ることができる。
【００５８】
より具体的には、原稿厚の薄い原稿は原稿ランプ光量を下げてゲインアップする設定にすることで、原稿の読み込み面とは反対の面からの透過光の影響を少くし、また原稿厚が厚い原稿では透過光の影響が少ないために、片面読み込み時と同じランプ光量とゲイン量となるようにする。このように、原稿厚に応じたランプ光量とゲイン量を選択して原稿両面の読み込みを行うことで、裏移りの影響を最小限に抑え、最適な読み取り性能を得ることができる。
【００５９】
尚、上記実施の形態では、原稿の厚さを入力する方法として、ユーザが表示部１１１に表示される原稿厚選択画面から所望の原稿厚を選択し、画像読取装置に原稿厚を入力する方法を採用したが、これに限らず、ユーザが表示部１１１で具体的な原稿厚の値を入力する方法を採用してもよい。この場合、上記図８のデータテーブルは、入力された原稿の厚みに対応するランプ光量とゲイン量とを規程する。
【００６０】
これによれば、入力された原稿厚に基づいて、原稿照明ランプの照射光量と、読み取られた原稿の画像データに対するゲイン量とが決定され、この決定された照射光量に基づいて原稿照明ランプの照射光量が変更されて、原稿が読み取られ、読み取られた原稿の画像データが該決定されたゲイン量に応じて増幅されるので、いわゆる裏移りの影響を最小限に抑え、最適な読み取り性能を得ることができる。
【００６１】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００６２】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００６３】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６４】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００６５】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００６６】
本発明の実施態様の例を以下に列挙する。
【００６７】
〔実施態様１〕  原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置において、
原稿の厚みを検知する原稿厚検知手段と、
前記原稿厚検知手段により検出された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定手段と、
前記決定手段により決定された照射光量に基づいて、前記第１照射手段及び前記第２照射手段の照射光量を変更する照射光量変更手段と、
前記第１読取手段及び前記第２読取手段により読み取られた原稿の画像データを、前記決定手段により決定されたゲイン量に応じて増幅するデータ増幅手段とを備えることを特徴とする画像読取装置。
【００６８】
〔実施態様２〕  前記決定手段は、前記原稿厚検知手段により検出された原稿の厚みに対応する前記照射光量及び前記ゲイン量を規程するデータテーブルを備えることを特徴とする実施態様１に記載の画像読取装置。
【００６９】
〔実施態様３〕  前記決定手段は、前記原稿厚検知手段により検出された原稿の厚みが普通紙よりも薄い場合には、前記照射光量を該普通紙に対応する照射光量よりも低い値に決定し、前記ゲイン光量を該普通紙に対応するゲイン量よりも高い値に決定することを特徴とする実施態様１又は２に記載の画像読取装置。
【００７０】
〔実施態様４〕  前記決定手段は、前記原稿厚検知手段により検出された原稿の厚みが普通紙よりも厚い場合には、前記照射光量を該普通紙に対応する照射光量よりも高い値に決定し、前記ゲイン光量を該普通紙に対応するゲイン量よりも低い値に決定することを特徴とする実施態様１乃至３のいずれか１つに記載の画像読取装置。
【００７１】
〔実施態様５〕  原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置において、
原稿の厚みを入力する原稿厚入力手段と、
前記原稿厚入力手段により入力された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定手段と、
前記決定手段により決定された照射光量に基づいて、前記第１照射手段及び前記第２照射手段の照射光量を変更する照射光量変更手段と、
前記第１読取手段及び前記第２読取手段により読み取られた原稿の画像データを、前記決定手段により決定されたゲイン量に応じて増幅するデータ増幅手段とを備えることを特徴とする画像読取装置。
【００７２】
〔実施態様６〕  前記決定手段は、前記原稿厚入力手段により入力された原稿の厚みに対応する前記照射光量及び前記ゲイン量を規程するデータテーブルを備えることを特徴とする実施態様５に記載の画像読取装置。
【００７３】
〔実施態様７〕  前記決定手段は、前記原稿厚入力手段により入力された原稿の厚みが普通紙よりも薄い場合には、前記照射光量を該普通紙に対応する照射光量よりも低い値に決定し、前記ゲイン光量を該普通紙に対応するゲイン量よりも高い値に決定することを特徴とする実施態様５又は６に記載の画像読取装置。
【００７４】
〔実施態様８〕  前記決定手段は、前記原稿厚入力手段により入力された原稿の厚みが普通紙よりも厚い場合には、前記照射光量を該普通紙に対応する照射光量よりも高い値に決定し、前記ゲイン光量を該普通紙に対応するゲイン量よりも低い値に決定することを特徴とする実施態様５乃至７のいずれか１つに記載の画像読取装置。
【００７５】
〔実施態様９〕  原稿を照射する第１照射ステップと、該第１照射ステップにより照射された原稿の表面を読み取る第１読取ステップと、原稿を照射する第２照射ステップと、該第２照射ステップにより照射された原稿の裏面を読み取る第２読取ステップとを備える画像読取方法において、
原稿の厚みを検知する原稿厚検知ステップと、
前記原稿厚検知ステップにより検出された原稿の厚みに基づいて、前記第１照射ステップ及び前記第２照射ステップにより原稿を照射する照射光量と、前記第１読取ステップ及び前記第２読取ステップにより読み取られた原稿の画像データに対するゲイン量とを決定する決定ステップと、
前記決定ステップにより決定された照射光量に基づいて、前記第１照射ステップ及び前記第２照射ステップでの照射光量を変更する照射光量変更ステップと、
前記第１読取ステップ及び前記第２読取ステップにより読み取られた原稿の画像データを、前記決定ステップにより決定されたゲイン量に応じて増幅するデータ増幅ステップと
を備えることを特徴とする画像読取方法。
【００７６】
〔実施態様１０〕  原稿を照射する第１照射ステップと、該第１照射ステップにより照射された原稿の表面を読み取る第１読取ステップと、原稿を照射する第２照射ステップと、該第２照射ステップにより照射された原稿の裏面を読み取る第２読取ステップとを備える画像読取方法において、
原稿の厚みを入力する原稿厚入力ステップと、
前記原稿厚入力ステップにより入力された原稿の厚みに基づいて、前記第１照射ステップ及び前記第２照射ステップにより原稿を照射する照射光量と、前記第１読取ステップ及び前記第２読取ステップにより読み取られた原稿の画像データに対するゲイン量とを決定する決定ステップと、
前記決定ステップにより決定された照射光量に基づいて、前記第１照射ステップ及び前記第２照射ステップでの照射光量を変更する照射光量変更ステップと、
前記第１読取ステップ及び前記第２読取ステップにより読み取られた原稿の画像データを、前記決定ステップにより決定されたゲイン量に応じて増幅するデータ増幅ステップと
を備えることを特徴とする画像読取方法。
【００７７】
〔実施態様１１〕  原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置に使用される画像読取装置制御用プログラムにおいて、
原稿の厚みを検知する原稿厚検知ステップと、
前記原稿厚検知ステップにより検出された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定ステップと、
前記決定ステップにより決定された照射光量に基づいて、前記第１照射手段及び前記第２照射手段での照射光量を変更する照射光量変更ステップと、
前記第１読取手段及び前記第２読取手段により読み取られた原稿の画像データを、前記決定ステップにより決定されたゲイン量に応じて増幅するデータ増幅ステップと
を前記画像読取装置に実行させることを特徴とする画像読取装置制御用プログラム。
【００７８】
〔実施態様１２〕  原稿を照射する第１照射手段と、該第１照射手段により照射された原稿の表面を読み取る第１読取手段と、原稿を照射する第２照射手段と、該第２照射手段により照射された原稿の裏面を読み取る第２読取手段とを備える画像読取装置に使用される画像読取装置制御用プログラムにおいて、
原稿の厚みを入力する原稿厚入力ステップと、
前記原稿厚入力ステップにより入力された原稿の厚みに基づいて、前記第１照射手段及び前記第２照射手段により原稿を照射する照射光量と、前記第１読取手段及び前記第２読取手段により読み取られた原稿の画像データに対するゲイン量とを決定する決定ステップと、
前記決定ステップにより決定された照射光量に基づいて、前記第１照射手段及び前記第２照射手段での照射光量を変更する照射光量変更ステップと、
前記第１読取手段及び前記第２読取手段により読み取られた原稿の画像データを、前記決定ステップにより決定されたゲイン量に応じて増幅するデータ増幅ステップと
を前記画像読取装置に実行させることを特徴とする画像読取装置制御用プログラム。
【００７９】
〔実施態様１３〕  上記実施態様１１又は１２に記載の画像読取装置制御用プログラムを格納し、コンピュータで読み取り可能なことを特徴とする記憶媒体。
【００８０】
【発明の効果】
以上詳細に説明したように、本発明によれば、原稿の厚みに基づいて照射光量と読み取られた原稿の画像データに対するゲイン量とが決定され、この決定された照射光量に基づいて第１照射手段及び第２照射手段の照射光量が変更されて、原稿が読み取られ、読み取られた原稿の画像データが該決定されたゲイン量に応じて増幅されるので、いわゆる裏移りの影響を最小限に抑え、最適な読み取り性能を得ることができる。
【図面の簡単な説明】
【図１】本発明の実施の形態に係る画像読取装置の概略構成を示す図である。
【図２】図１における露光部１３及び密着型イメージセンサ部２０の画像制御系の主な機能を示すブロック図である。
【図３】Ａ／Ｄ変換部１０１の概略構成を示す図である。
【図４】原稿読取装置を装備する複写機において原稿をコピーする場合の処理を示すフローチャートである。
【図５】原稿読取装置を装備する複写機において原稿をコピーする場合の処理を示すフローチャートである。
【図６】原稿の厚さの入力を行う場合の表示部１１１の表示例、具体的には原稿厚選択画面の表示例を示す図である。
【図７】紙厚検知装置を含む紙厚検知機構の概略構成を示す図である。
【図８】ＣＰＵ１０４が備えるＲＡＭに格納されているデータテーブルの一例を示す図である。
【符号の説明】
１  原稿給送装置
２  原稿載置部
３  原稿
４  給紙ローラ
５  分離パッド
７  原稿排紙ローラ対７
８  大ローラ
１３  露光部
２０  密着型センサ部
１０２  画像処理部
１０４  ＣＰＵ
【図１】
2004193744.tif 000003
【図２】
2004193744.tif 000004
【図３】
2004193744.tif 000005
【図４】
2004193744.tif 000006
【図５】
2004193744.tif 000007
【図６】
2004193744.tif 000008
【図７】
2004193744.tif 000009
【図８】
2004193744.tif 000010